(57)【要約】【課題】入球ユニットに対する複数の検知部材の取り付けミスの発生を予防し、該取り付けミスに起因する上記検知部材の再配置等の非効率的な作業の発生を抑制するように構成した遊技機を提供する。【解決手段】本雀球遊技機は、入球口１１ａ〜１１ｙにそれぞれ取り付け自在に配置された例えば入球センサ４１ａ〜４１ｅそれぞれが、該入球センサ４１ａ〜４１ｅの中で予め定められた順番を示すハーネスを有し、入球センサユニット４１が、ハーネスにて示される順番の最初及び／又は最後と対をなす関係を明示する文字５５の成形部を、列状に配置された入球口１１ａ〜１１ｙのうちの両端に位置する入球口１１ａ，１１ｙの少なくとも一方に有してなる。【選択図】図３
2009066274.tif 000002
【特許請求の範囲】
【請求項１】
一列状に配置された複数の入球口を有する入球ユニットを遊技領域に備え、前記遊技領域に遊技球を打ち出して遊技してなる遊技機において、
前記複数の入球口にそれぞれ取り付け自在に配置され、これら複数の入球口への遊技球の入球をそれぞれに検知する複数の検知部材を備え、
前記複数の検知部材は、それぞれが、該複数の検知部材の中で予め定められた取り付けの順番を示す第１識別手段を有し、
前記入球ユニットは、前記第１識別手段にて示される順番の最初及び／又は最後と対をなす関係を明示する第２識別手段を、列状に配置された前記複数の入球口のうちの両端に位置する入球口の少なくとも一方に有してなる、
ことを特徴とする遊技機。
【請求項２】
前記複数の入球口は、前記複数の検知部材を一単位とした複数の検知部材群を取り付け自在に配置し、
前記入球ユニットは、前記検知部材群ごとに有した前記第１識別手段に対応する前記第２識別手段を、前記複数の入球口のうちで所要の入球口に有してなる、
請求項１記載の遊技機。
【請求項３】
前記第１識別手段は、前記複数の検知部材の中で予め定められた取り付けの順番をそれぞれ異なる色の並びで示し、
前記第２識別手段は、前記複数の検知部材の中で予め定められた取り付けの順番の最初及び／又は最後に対応する検知部材が有した前記第１識別手段の色に係る情報を有することにより、該第１識別手段と対をなす関係を明示してなる、
請求項１又は２記載の遊技機。
【請求項４】
前記第１識別手段は、前記複数の検知部材に接続されたハーネスであり、
前記第２識別手段は、前記入球ユニットの前記複数の入球口近傍に成形された文字である、
請求項１ないし３のいずれか１項記載の遊技機。
【発明の詳細な説明】
【技術分野】
【０００１】
本発明は、雀球遊技機やアレンジボール遊技機等の遊技機に係り、詳しくは、複数の入球口を有した入球ユニットの組み立て性の向上を図った遊技機に関する。
【背景技術】
【０００２】
従来、一定数の遊技球を遊技機内に封入し、これらを循環させて遊技を行う遊技機として、例えば雀球遊技機やアレンジボール遊技機が知られている。雀球遊技機は、各種遊技部品が配置された遊技盤の下部に、麻雀牌の図柄を付した所定数の入球口を備え、メダル投入口に遊技メダル（単に「メダル」とも言う）が投入されると、麻雀牌の図柄を画像表示装置に適宜の組合せで自動的に表示する自動配牌機能を備えた雀球遊技機が存在する（特許文献１参照）。この雀球遊技機では、画像表示装置に表示される手牌のうちから不要な牌（不要牌）が切り捨てられた際、１個の遊技球を再度打ち出しし得る状態となり、これら切り捨て操作（捨て牌操作）及び再打ち出し操作が所定回数以内にて繰り返し行われ、所定の上がり役が完成した時点で得点が計算され、その得点に応じた数の遊技メダルが払い出される。
【０００３】
また、アレンジボール遊技機は、遊技盤に形成された遊技領域の下部に、１６個の入球口が左右方向１列に配置された入球装置を備えており、この入球装置の各入球口には所定の入賞図柄が割当られている。該アレンジボール遊技機では、１ゲームごとに１６個の遊技球が遊技領域へと発射される。これらの遊技球が、上記した入球装置の入球口のいずれかに入球した際、入球した入球口に割当られた入賞図柄が表示部に表示される。そして、該表示部に表示された入賞図柄が、予め設定された所定の組合せとなると得点が付与され、該得点に応じた賞球が遊技者に払い出される。
【０００４】
このような遊技機の中には、上述した入球装置における遊技球を通入出し得る規定数分の入球口を横一列に配設することにより、装置の横方向、縦方向および厚み方向の全体サイズを可及的に小型化し得、遊技盤の最下部に配設して遊技面の広く有効な活用を図り得るように提案されたものがある（特許文献２参照）。そして、この入球装置では、該入球装置を構成している入球ユニットの本体と検出体とが、該本体の裏面に成形された保持枠の適所に形成された凹溝と、該検出体の郭体に形成された突条とを位置決め手段とすることで、正確に組み付けセットし得るものとされている。
【０００５】
【特許文献１】特開２００７−０９７７８３号公報
【特許文献２】特開２００２−３４６０５７号公報
【発明の開示】
【発明が解決しようとする課題】
【０００６】
ところで、上記した特許文献２における入球装置においては、入球ユニット本体に形成された凹溝と、検出体に形成された突条とによって、入球ユニット本体に組み付ける際の検出体の位置決めを行うものとしている。しかし、上記した凹溝と突条とにより、入球ユニット本体と検出体とを正確に組み付け得るとしても、検出体自体に既に検出部（センサ）が誤って配置されていた場合には、入球ユニット本体と検出体とを再び取り外し、誤って配置した検出部の位置の修正を行わなくてはならない。このように、特許文献２における入球装置においては、複数の検出部を有した検出体の位置決めは行い得るものの、該検出体に複数の検出部を配置する工程については何ら考慮がされておらず、従って該工程で生じ得る検出部の取り付けミス等の発生を予防することはできないものとなっていた。
【０００７】
そこで本発明は、入球ユニットに対する複数の検知部材の取り付けミスの発生を予防し、該取り付けミスに起因する上記検知部材の再配置等の非効率的な作業の発生を抑制するように構成し、もって上述した課題を解決した遊技機を提供することを目的とするものである。
【課題を解決するための手段】
【０００８】
請求項１に係る本発明は（例えば図１ないし図９参照）、一列状に配置された複数の入球口（１１ａ〜１１ｙ）を有する入球ユニット（４１）を遊技領域（２ａ）に備え、前記遊技領域（２ａ）に遊技球を打ち出して遊技してなる遊技機（１）において、
前記複数の入球口（１１ａ〜１１ｙ）にそれぞれ取り付け自在に配置され、これら複数の入球口（１１ａ〜１１ｙ）への遊技球の入球をそれぞれに検知する複数の検知部材（４１ａ〜４１ｙ）を備え、
前記複数の検知部材（４１ａ〜４１ｙ）は、それぞれが、該複数の検知部材（４１ａ〜４１ｙ）の中で予め定められた取り付けの順番を示す第１識別手段（例えば４３ａ〜４３ｅ、例えば４３ａ´，４３ａ″〜４３ｅ´，４３ｅ″、又は、例えば１０１ｂ〜１０１ｅ）を有し
前記入球ユニット（４１）は、前記第１識別手段（例えば４３ａ〜４３ｅ、例えば４３ａ´，４３ａ″〜４３ｅ´，４３ｅ″、又は、例えば１０１ｂ〜１０１ｅ）にて示される順番の最初及び／又は最後と対をなす関係を明示する第２識別手段（５５、５５´、又は、１０２ｂ〜１０２ｅ）を、列状に配置された前記複数の入球口（１１ａ〜１１ｙ）のうちの両端に位置する入球口の少なくとも一方に有してなる、
ことを特徴とする遊技機（１）にある。
【０００９】
請求項２に係る本発明は（例えば図３ないし図５、及び図８，９参照）、前記複数の入球口（１１ａ〜１１ｙ）が、前記複数の検知部材（４１ａ〜４１ｙのうち例えば４１ａ〜４１ｅ）を一単位とした複数の検知部材群（例えば４２）を取り付け自在に配置し、
前記入球ユニット（４１）が、前記検知部材群（例えば４２）ごとに有した前記第１識別手段（例えば４３ａ〜４３ｅ、例えば４３ａ´，４３ａ″〜４３ｅ´，４３ｅ″、又は、例えば１０１ｂ〜１０１ｅ）に対応する前記第２識別手段（５５、５５´、又は、１０２ｂ〜１０２ｅ）を、前記複数の入球口（１１ａ〜１１ｙ）のうちで所要の入球口（例えば１１ａ，１１ｅ）に有してなる、
請求項１記載の遊技機（１）にある。
【００１０】
請求項３に係る本発明は（例えば図３ないし図５参照）、前記第１識別手段（例えば４３ａ〜４３ｅ、又は、例えば４３ａ´，４３ａ″〜４３ｅ´，４３ｅ″）が、前記複数の検知部材の中で予め定められた取り付けの順番をそれぞれ異なる色の並びで示し、
前記第２識別手段（５５、５５´）が、前記複数の検知部材の中で予め定められた取り付けの順番の最初及び／又は最後に対応する検知部材が有した前記第１識別手段（例えば４３ａ及び／又は４３ｅ、又は、例えば４３ａ´，４３ａ″及び／又は４３ｅ´，４３ｅ″）の色に係る情報を有することにより、該第１識別手段（例えば４３ａ及び／又は４３ｅ、又は、例えば４３ａ´，４３ａ″及び／又は４３ｅ´，４３ｅ″）と対をなす関係を明示してなる、
請求項１又は２記載の遊技機（１）にある。
【００１１】
請求項４に係る本発明は（例えば図３ないし図５参照）、前記第１識別手段が、前記複数の検知部材（例えば４１ａ〜４１ｅ）に接続されたハーネス（例えば４３ａ〜４３ｅ、又は、例えば４３ａ´，４３ａ″〜４３ｅ´，４３ｅ″）であり、
前記第２識別手段（５５、５５´）が、前記入球ユニット（４１）の前記複数の入球口（１１ａ〜１１ｙ）近傍に成形された文字である、
請求項１ないし３のいずれか１項記載の遊技機（１）にある。
【００１２】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１３】
請求項１に係る本発明によると、遊技機が、一列状に配置された複数の入球口を有する入球ユニットを備え、複数の入球口にそれぞれ取り付け自在に配置された複数の検知部材は、それぞれが、該複数の検知部材の中で予め定められた取り付けの順番を示す第１識別手段を有し、入球ユニットは、第１識別手段にて示される順番の最初及び／又は最後と対をなす関係を明示する第２識別手段を、列状に配置された前記複数の入球口のうちの両端に位置する入球口の少なくとも一方に有してなる。これにより、複数の検知部材のうち、取り付け順番の最初及び／又は最後に当たる検知部材を配置する入球口の位置（所謂、基点）を容易に把握することができるので、複数の検知部材全体を誤り無く正しい位置に取り付けることができる。従って、検知部材の取り付けミスに起因する該検知部材の再配置等の非効率的な作業の発生が抑制されることとなり、作業効率の向上が図られ、人的コストの増加が抑えられることとなる。
【００１４】
請求項２に係る本発明によると、複数の入球口が、複数の検知部材を一単位とした複数の検知部材群を取り付け自在に配置し、入球ユニットが、検知部材群ごとに有した第１識別手段に対応する第２識別手段を、複数の入球口のうちで所要の入球口に有してなる。これにより、作業者は、複数の入球口のそれぞれに取り付ける複数の検知部材を、検知部材群という一単位ごとに各第２識別手段を確認しながら取り付けを行うことができる。従って、複数の入球口全体ではなく検知部材群という所定範囲ごとの取り付け順序を細かく意識して作業すればよいものとなり、結果として複数の検知部材全体の取り付け時に生じ得る誤りを抑制することができる。
【００１５】
請求項３に係る本発明によると、第１識別手段が、複数の検知部材の中で予め定められた取り付けの順番をそれぞれ異なる色の並びで示し、第２識別手段が、複数の検知部材の中で予め定められた取り付けの順番の最初及び／又は最後に対応する検知部材が有した第１識別手段の色に係る情報を有することにより、該第１識別手段と対をなす関係を明示してなる。これにより、作業者は、複数の検知部材の並びを色によって感覚的に認識することができるので、取り付け作業を能率的に行うことができる。
【００１６】
請求項４に係る本発明によると、第１識別手段は、複数の検知部材に接続されたハーネスであり、第２識別手段は、入球ユニットの前記複数の入球口近傍に成形された文字である。これにより、複数の検知部材のそれぞれに接続するハーネスに各種着色されたものを用い、予め定めた順番に色を割り当ててその順となるようにハーネスを配置するなどして実施することができるので、特別な部材を調達せず部材コストの増加を抑えて実施することができる。
【発明を実施するための最良の形態】
【００１７】
以下、本発明に係る遊技機の実施の形態として、遊技場等に設置される雀球遊技機について図１ないし図７を参照して説明する。なお、図１は本実施形態における雀球遊技機を示す斜視図、図２は図１における遊技盤面部を抜粋して示す斜視図、図３は入球センサユニットを示す分解斜視図、図４は入球センサユニットを図３の矢印Ａ方向から見た側面図図５は入球センサ群を示す概略図、図６は図１における操作パネルの構成を示す正面図、図７は図１における画像表示部に表示する画面例を説明するための図である。
【００１８】
本実施の形態では、２７種の牌の図柄を各４個、計１０８個の牌を使用して遊技を行う雀球遊技機（遊技機）１を例に挙げて説明する。この２７種の牌の図柄は、例えば、萬子が「一萬」〜「九萬」の９種、筒子が「一筒」〜「九筒」の９種、索子が「一索」と「九索」の２種、字牌が「東」「南」「西」「北」「白」「發」「中」の７種である。従って、萬子と筒子が数牌となり、索子の「一索」と「九索」は、順子を形成することができないので字牌に含めている。これにより、本実施形態における牌種とは、上記の「萬子」、「筒子」、「字牌」の３種を示すことになる。
【００１９】
なお、上記した２種の数牌は、例えば、萬子を「一萬」〜「九萬」の９種類の図柄、索子を「一索」〜「九索」の９種類の図柄から構成し、字牌は筒子の「一筒」と「九筒」、及び「東」「南」「西」「北」「白」「發」「中」から構成される麻雀牌の図柄を有する雀球遊技機にすることも可能である。また例えば、索子を「一索」〜「九索」の９種類の図柄、筒子を「一筒」〜「九筒」の９種類の図柄から構成し、字牌は筒子の「一萬」と「九萬」、及び「東」「南」「西」「北」「白」「發」「中」から構成される麻雀牌の図柄を有する雀球遊技機にすることも可能である。
【００２０】
図１に示すように、本雀球遊技機１は遊技機本体１ａを備えてなり、該遊技機本体１ａの前面部は、基本的には遊技盤面部（遊技領域）２ａ、操作パネル３、操作パネル３の下方に設けられた遊技球発射レバー４、メダル受け皿５、音声や効果音（以下、一括して音声という）を出力する音声出力装置であるスピーカー６、ランプ装置７等から構成される。上記遊技盤面部２ａは、図２に示す遊技盤２に設けられた遊技エリア（遊技領域）である。なお、符号１ｂは、遊技機本体１ａに対して開閉可能に支持された前扉を示し、また、符号１ｃは、前扉１ｂの下方に配置され、同じく遊技機本体１ａに対して開閉可能に支持された下扉を示すが、これら前扉１ｂ及び下扉１ｃは一体に形成されてもよく、これら２つの扉は広義として前扉と称してもよい。
【００２１】
図２に示すように、遊技盤面部２ａの略中央部には、所要の演出表示を行うための液晶表示装置等の画像表示装置３８を開口部１３から露出した状態のセンター飾り１２が配置され、該センター飾り１２の上方には表示部３７が配置され、センター飾り１２の左右下方には入球口１１Ａ，１１Ｂが配置されている。センター飾り１２の右方には、遊技球が通過可能なアタッカー作動通過口１０が配置され、該アタッカー作動通過口１０の直下方には、アタッカー９が配置されている。このアタッカー９は、和了した際の和了り役が特別役（例えばビッグ役）である場合に開放して後続ゲーム中に自摸牌の選択を自由にするための可変入球口を構成している。また、アタッカー作動通過口１０は、特別役で和了した際に遊技球の入球が有効となって、該入球に対応してアタッカー９を開放させる。
【００２２】
遊技盤面部２ａにあって、後述する入球口（複数の入球口）１１ａ〜１１ｙとステージＳとの間には、入球口１１ａ〜１１ｙの直ぐ上方にて各入球口の入球幅を規制するための多数の障害釘（図示せず）が打ち込まれている。センター飾り１２は、開口部１３の上部に演出装置４０を有し、該開口部１３の下部にステージＳを有している。なお、遊技盤面部２ａには、風車（図示せず）や上記とは別の障害釘（図示せず）が設けられている。
【００２３】
遊技盤面部２ａの下方側には、入球口１１ａ〜１１ｙが一列状に配置されており、上方側にある入球口１１Ａ，１１Ｂやアタッカー９に入球しなかった遊技球は必ず何れかの入球口１１ａ〜１１ｙに入球されるように構成されている。それら入球口１１ａ〜１１ｙは、一索から九索までの索子牌を除いた牌の図柄２５種（図柄は図示せず）に対応して、２５個が設けられている。例えば入球口１１Ａ，１１Ｂにはそれぞれ「一索」と「九索」が表示されており、また入球口１１ａには「一萬」、入球口１１ｂには「二萬」、入球口１１ｃには「三萬」というように、所要の麻雀牌図柄が順次表示されている。
【００２４】
それら入球口１１ａ〜１１ｙは、図３に示すように、入球センサユニット（入球ユニット）４１に一体的に取付けられており、該入球センサユニット４１には、各入球口１１ａ〜１１ｙにそれぞれ対応する通路が形成されて（不図示）、それら入球口１１ａ〜１１ｙに入球した遊技球が背面側に設置された各入球センサ（複数の検知部材）４１ａ〜４１ｙを通過するように構成されている。なお、上記入球口１１Ａ，１１Ｂやアタッカー９にも対応する入球センサ（不図示）が設けられており、つまり入球した遊技球は、必ず何れかの入球センサによって検出される。また、入球センサユニット４１の背面側には、不図示の回収路を有した回収ユニットが配置されており、入球センサ４１ａ〜４１ｙを通過した遊技球は、この回収ユニットへと排出される。また、上述した入球口１１Ａ，１１Ｂやアタッカー９に入球した遊技球にあっても、不図示の入球センサを通過した後、回収ユニットへと排出される。
【００２５】
本実施の形態にあっては、上記した入球センサ４１ａ〜４１ｙは、すべて５個を単位として組分けされており、例えば、図５に示すように、入球センサ４１ａ〜４１ｅによって入球センサ群（検知部材群）４２が構成されている。従って、入球センサユニット４１には、上記した入球センサ群４２のような組が５つ配置されることで入球センサユニット４１の２５個分の入球口１１ａ〜１１ｙにそれぞれ検知センサが割り当てられる。
【００２６】
上記した入球センサ群４２、つまり入球センサ４１ａ〜４１ｅは、それぞれに接続された２本ずつのハーネス（第１識別手段）４３ａ〜４３ｅがその先端部で１つのコネクタ８１に集約されている。これら各ハーネスは、着色された絶縁性のビニールに覆われており、例えば、正面視左端から、ハーネス４３ａが茶色、ハーネス４３ｂがオレンジ色、ハーネス４３ｃが緑色、ハーネス４３ｄが紫色、ハーネス４３ｅが白色となっている。ここで、入球センサ群４２における入球センサ４１ａ，４１ｂ，４１ｃ，４１ｄ，４１ｅの並びは、製造工程における取り付け順となっており、入球センサ群４２の中で予め定められた配置順番となっている。そして、上述したように、これら入球センサ４１ａ〜４１ｅには、それぞれ色の異なるハーネス４３ａ〜４３ｅが接続されていることから、該ハーネス４３ａ〜４３ｅの色の並びが即ち入球センサ４１ａ〜４１ｅの配置順を示すこととなる。なお、図５に示す符号４６ａ〜４６ｅは、入球センサ４１ａ〜４１ｅがそれぞれ有する通過孔を示している。
【００２７】
入球センサ４１ａ〜４１ｙのうちで、例えば、入球センサ４１ａは、図５に示すように、その胴体部が遊技球を通過させ得る円形の通過孔４６ａを有した薄い直方体の板状に形成されている。該通過孔４６ａは、遊技球よりやや大きい直径（約１３ｍｍ）に形成されており、その円形の周縁に沿っては、遊技球が通過した際に誘導電流を生じる円環状のコイル部材が配されている。入球センサ４１ａは、該コイル部材に生じる上記誘導電流によって、インダクタンス等の変化を検知し、検出対象である遊技球の検出を行う。
【００２８】
そして、図３に示すように、入球センサユニット４１に対し入球センサ群４２が装着された状態にあっては、入球センサ４１ａ〜４１ｅは、入球センサユニット４１に形成されたソケット部４７ａ〜４７ｅにそれぞれ嵌め込まれた状態となり、通過孔４６ａ〜４６ｅを有する入球センサ４１ａ〜４１ｅの胴部が雀球遊技機１の背面方向を向いた状態となる。そして、該ソケット部４７ａの側方における外側壁面には、本発明の特徴となる文字（第２識別手段）５５が成形されている。
【００２９】
入球センサ４１ａ〜４１ｅからは、ハーネス４３ａ〜４３ｅが雀球遊技機１の前方（例えば図４の正面視右方）に向けて、支持板４９に設けられた不図示の空隙を介して引き回されている。ハーネス４３ａ〜４３ｅは、その先端部でコネクタ８１に集約されており、該コネクタ８１は、支持板４９にネジ止めされた中継基板８２に実装されたコネクタ差し込み部８３に差し込み接続されている。
【００３０】
一方、操作パネル３には、図６に示すように、液晶表示装置等からなる画像表示部１４、メダル投入口１５、及び各種の操作ボタンが設けられている。この各種の操作ボタンとして、１３個のボタンが横方向に並設された捨て牌ボタン１６ａ、１６ｂ、…、１６ｍ、自摸牌捨てボタン１７、リーチボタン１８、牌選択右シフトボタン１９、牌選択左シフトボタン２０、自摸牌決定ボタン２１、払い出しボタン２２、遊技終了ボタン２３、遊技開始ボタン２４、及びリジェクト（ＲＥＪＥＣＴ）ボタン２５が配置されている。
【００３１】
画像表示部１４には、その表示面に種々の表示部が設定され、遊技者に対してゲームの進行に応じて必要な情報や画像及び演出用画像をこの表示部に表示するようにしている。例えば、図７に示すように、表示面の上部横方向には、遊技メダル貯留枚数表示部２６、残り遊技球数表示部２７、風牌表示部２８、表ドラ表示部２９、裏ドラ表示部３０、和了り牌表示部３１、特別遊技のうち、ビッグゲームの権利を得ることができる和了り役を示すビッグゲーム和了り役表示部３２、更に、チャンスゲームの権利を得ることができる和了り役を示すチャンスゲーム和了り役表示部３３、捨て牌の図柄を表示する捨て牌表示部３４が設けられ、ゲームの進行に応じて牌の図柄、演出画像、数値等が表示される。なお、上述した、ビッグゲームの権利を得ることができる和了り役及びチャンスゲームの権利を得ることができる和了り役を、以下「特別役」と称すると共に、該特別役以外の和了り役を「通常役」と称する。
【００３２】
更に、画像表示部１４の表示面の下部横方向には、１３個の手牌の図柄を表示する手牌表示部３５、及び自摸した牌の図柄を表示する自摸牌表示部３６が設けられている。なお、手牌表示部３５及び自摸牌表示部３６に表示している各図柄の下部には、捨て牌ボタン１６ａ、１６ｂ、…、に対応するボタン名（Ａ、Ｂ、Ｃ、Ｄ、Ｅ、…）が表示されている。また、表示される麻雀牌の図柄はカラーで表示される。
【００３３】
ここで、入球センサユニット４１への入球センサ４１ａ〜４１ｅ、…の取り付け工程について説明する。
【００３４】
前述したように、入球センサ４１ａ〜４１ｅ、…は、５個を単位として組分けされていることから、そのうちの一つである入球センサ群４２を例として挙げ、入球センサ４１ａ〜４１ｅの入球センサユニット４１への取り付けについて以下に説明する。なお、不図示の他の４個の組については、取り付けられた上記入球センサ群４２に基づいて並べて配置していくことにより、正しい位置に取り付けを行うことができる。
【００３５】
入球センサ４１ａ〜４１ｅには、入球センサ群４２の中で予め定められた配置順番があり、これは各ハーネスの色により、茶色、オレンジ色、緑色、紫色、及び白色の順として予め設定されている。なお、この各色と順番の関係は任意であり、予め設定する際の取り決めにて、いずれの色といずれの順番とを各様に組み合わせてよいのは勿論である。
【００３６】
上記設定された色の順番に倣ってハーネスの符号を配列すると、ハーネス４３ａ，４３ｂ，４３ｃ，４３ｄ，４３ｅとなり、図５の正面視左端から右方に向う順となる。ここで、配置順番が１番目（最初）として決められた茶色のハーネス４３ａが接続された入球センサ４１ａの取り付けを行う場合、担当の作業者は、入球センサユニット４１の左右側面（図３の矢印Ａ，Ｂ方向から視認した位置）を確認する。これにより、該作業者は、入球センサユニット４１の片側の側面（図４参照）のソケット部４７ａに、本発明の特徴となる文字５５が成形されていることを認識する。ここで、この文字５５とハーネス４３ａとが互いに同じ茶色であることから、作業者は、両者が対をなす関係であることが明示されたものと把握することとなる。これにより、作業者は、ソケット部４７ａに対して、茶色のハーネス４３ａが接続された入球センサ４１ａを取り付ければよいことを直感的に認識し得るものとなる。
【００３７】
作業者が、上記認識に基づいて入球センサ４１ａをソケット部４７ａに取り付けると、その後は、入球センサ群４２の中で予め定められた配置順番に倣って（つまり、ハーネス４３ｂ〜４３ｅの色に従って）、ソケット部４７ｂ〜４７ｅに対し入球センサ４１ｂ〜４１ｅを順に取り付けていけばよいこととなる。従って、作業者は、文字５５が成形されたことにより、入球センサ４１ａ〜４１ｅを取り付ける順番の基点となる位置の把握が容易になるので、入球センサ４１ａ〜４１ｅを誤り無く正しい位置に取り付けることができるようになる。
【００３８】
また、他の例として、上記したようにソケット部４７ａに茶の文字５５を成形するとともに、入球センサ群４２内の配置順番が５番目（最後）を示す白の文字（不図示）をソケット部４７ｅに成形しておくことが考えられる。このように構成した場合には、作業者にとって入球センサ４１ａ〜４１ｅを取り付ける順番の基点となる位置（取り付け範囲の最初と最後）が細かく示されることなり、その把握が一層容易となって、該入球センサ４１ａ〜４１ｅをより確実に入球口１１ａ〜１１ｅに対して配置することができるようになる。なお、上記したように、ソケット部４７ｅに対して文字を成形する場合には、入球センサユニット４１の底面側からソケット部４７ｅの底部壁面に成形するものとなる。
【００３９】
更に、前述した例とは逆に、入球センサ４１ａ〜４１ｅを、入球センサ４１ｅから入球センサ４１ａへと逆順で取り付け易くさせたい場合には、入球センサユニット４１の最左端（図３の矢印Ｂで示した側端）に位置する不図示のソケット部に、不図示の白の文字を成形すればよい。これにより、作業者は、その取り付け時にあって、上記ソケット部の白の文字を認識し、該ソケット部に対して白色のハーネス４３ｅが接続された入球センサ４１ｅを取り付ければよいことを直感的に認識し得るものとなる。そして、該入球センサ４１ｅを取り付けた後の他の入球センサ４１ａ〜４１ｄについては、それぞれに接続されたハーネス４３ａ〜４３ｄの各色に従って、入球センサ４１ｄから入球センサ４１ａの順に容易に取り付けていくことができるものとなる。
【００４０】
続いて、上述した雀球遊技機１の遊技手順とこの手順に伴う各処理の概要について説明する。
【００４１】
１ゲームは、遊技者がメダル投入口１５へメダルを投入して、遊技開始ボタン２４を押圧し、１４個の手牌が配牌されることによりスタートする。そして、遊技者が捨て牌ボタン１６ａ、１６ｂ、…、等の各種の操作ボタンやセンサから発生する入力信号及び制御信号に基づいて、１ゲームが進行して行くことになる。
【００４２】
つまり、遊技者がメダル投入口１５にメダルを投入し、遊技開始ボタン２４を押圧すると、１ゲームの遊技が開始できる状態になり、引き続き、ゲームを開始するために必要な１４個の配牌の図柄が自動的に決められ、図７に示すような牌の図柄の画像が、画像表示部１４の手牌表示部３５と自摸牌表示部３６に表示される。更に、図７に示すような表ドラ及び裏ドラの牌の図柄の画像が、画像表示部１４の表ドラ表示部２９と裏ドラ表示部３０に表示され、ビッグ役及びチャンス役がビッグゲーム和了り役表示部３２と、チャンスゲーム和了り役表示部３３とにそれぞれ表示される。そして、遊技の開始条件が整ったことが画面表示又は音声で遊技者に報知される。
【００４３】
この状態において、遊技者は、手牌表示部３５と自摸牌表示部３６に表示されている牌の図柄から、捨て牌を選択する操作を行う。遊技者は、捨てる牌の図柄を決定すると、この捨て牌の図柄に対応する捨て牌ボタン１６ａ、１６ｂ、１６ｃ、…、或いは自摸牌捨てボタン１７のいずれか１つを選択（オン）してこの牌を捨てる。すると、遊技球が遊技球発射位置に１球送られ、遊技球発射レバー４の操作で遊技盤面２内に遊技球を発射できる状態になる。
【００４４】
遊技者が遊技球を発射し、この遊技球が入球口１１Ａ，１１Ｂ、入球口１１ａ，１１ｂ，１１ｃ、…の何れかに入球すると、該入球に対応する牌（自摸牌）の図柄が自摸牌表示部３６に表示される。この牌を自摸ったことで和了しない場合、遊技者は、１４個の手牌の中から不要と思われる１個の牌を捨てる捨て牌操作を行う。そして、遊技者は、このような操作を順次実行していき、所望の和了り役が聴牌（テンパイ）したと判断した時点で、リーチボタン１８を操作してリーチをかけ、或いはリーチをかけずに、１ゲーム中で発射可能な遊技球数が尽きるまで牌を自摸る操作を続ける。
【００４５】
なお、以上説明した本実施の形態にあっては、入球センサ４１ａ〜４１ｅには、入球センサ群４２の中で予め定められた配置順番があり、これを各ハーネスの色の並びによって示すようにしていた。しかし、配置順番を色の並びなどに置き換えず、単純に配置順番の数値をそのままハーネスに印刷するなどしてよいのは勿論である。このようにした場合、配置順番の最初となる例えば「１」や、配置順番の最後となる例えば「５」等の文字を該当するソケット部の近傍に成形するようにする。
【００４６】
また、入球センサ４１ａ〜４１ｅからなる入球センサ群４２内の配置順番を示す色を、ハーネス４３ａ〜４３ｅを覆うビニールを着色して作業者に視認させるとして説明したが、ビニールはすべて同色に統一し、ハーネス４３ａ〜４３ｅのそれぞれに対して上記した配置順番を示す色に着色したタグ等の部材を付けるようにしてもよい。
【００４７】
次いで、図８を参照して、前述した実施の形態における他の構成を示す第１例を説明する。なお、図８は、他の構成である第１例を示すもので、（ａ）は入球センサ４１ａ〜４１ｅと各ハーネスの色とを対応させた表、（ｂ）は入球センサユニットの端部を拡大してその下方側から示した概略図である。また、同図の中で用いる図１ないし図７と同符号のものは、構成及び作用が同様のものとしてその説明を省略する。また、以下の説明で図８中に記載が無い符号についても、図１ないし図７に記載のものを援用し、その説明を省略する。
【００４８】
すなわち、本例においても、前述した実施の形態と同様、５個の入球センサ４１ａ〜４１ｅからなる入球センサ群４２を一単位として取り付けを行うものとするが、本例における入球センサ４１ａ〜４１ｅは、それぞれ２本ずつの異なる色のハーネスが接続されるように構成されている。また、前述した実施の形態では、ソケット部４７ａの側面に文字５５が成形されていたが、本例にあっては、ソケット部４７ａの内方下部に文字（第２識別手段）５５´が成形されている（図８（ｂ）参照）。なお、本例における入球センサ４１ａ，４１ｂ，４１ｃ，４１ｄ，４１ｅは、この並びの順に取り付けられることが予め定められた配置順番となっている。
【００４９】
図８（ａ）の表に示すように、入球センサ４１ａには、２本組のハーネス４３ａが接続され、そのうち単体ハーネス（第１識別手段）４３ａ´が茶色、単体ハーネス（第１識別手段）４３ａ″が赤色に設定されている。同様に、入球センサ４１ｂにおけるハーネス４３ｂにあっては、単体ハーネス（第１識別手段）４３ｂ´がオレンジ色、単体ハーネス（第１識別手段）４３ｂ″が黄色に設定されている。また、入球センサ４１ｃにおけるハーネス４３ｃにあっては、単体ハーネス（第１識別手段）４３ｃ´が緑色、単体ハーネス（第１識別手段）４３ｃ″が青色に設定されており、入球センサ４１ｄにおけるハーネス４３ｄにあっては、単体ハーネス（第１識別手段）４３ｄ´が紫色、単体ハーネス（第１識別手段）４３ｄ″が灰色に設定され、更に、入球センサ４１ｅにおけるハーネス４３ｅにあっては、単体ハーネス（第１識別手段）４３ｅ´が白色、単体ハーネス（第１識別手段）４３ｅ″が黒色に設定されている。入球センサ４１ａ〜４１ｅが有する各単体ハーネスは、その先端部が上記したような図８（ａ）の表に示す順にコネクタ８１に取り付けられている。
【００５０】
ここで、作業者は、配置順番が１番目（最初）として定められた入球センサの取り付けを行う場合、まず、入球センサユニット４１の左右端の各ソケット部周辺を確認する。このとき、該作業者は、入球センサユニット４１のソケット部４７ａの内方下部に文字５５´が成形されていることを認識する（図８（ｂ）参照）。
【００５１】
ソケット部４７ａを底面側から視認した場合、文字５５´は、右側に「赤」の文字、左側に「茶」の文字が対となって成形されている。ここで、赤色及び茶色のハーネスの組が接続されている入球センサが入球センサ４１ａであることから、作業者は、文字５５´によって両者が対をなすことが明示されたものと把握し、ソケット部４７ａには該入球センサ４１ａを取り付けるべきことを直感的に認識し得ることとなる。
【００５２】
加えて、文字５５´は、赤色、茶色の並びで成形されていることにより、入球センサ４１ａを取り付ける際におけるハーネス４３ａの配置位置をも示すものとなっている。これは、茶色の単体ハーネス４３ａ´と赤色の単体ハーネス４３ａ″とを、この並び順となるように取り付けることにより、入球センサの取り付け向きを一意に決定し得ることを意味する。これにより、作業者は、入球センサ４１ａを図８（ｂ）に示す向きにして，ソケット部４７ａに差し込んで取り付けを行うこととなる。
【００５３】
作業者が、上記認識に基づいて入球センサ４１ａをソケット部４７ａに取り付けると、その後は、入球センサ群４２の中で予め定められた配置順番に倣ってソケット部４７ｂ以降のソケット部に対し入球センサ４１ｂ〜４１ｅを順に取り付けていけばよいこととなる。但し、入球センサ４１ａを取り付ける際、上述したように、単体ハーネス４３ａ´と単体ハーネス４３ａ″とを、図８（ａ）の表に示した色の順番と逆順（「茶、赤」の順ではなく「赤、茶」の順）となる向きで取り付けることが文字５５´によって示されていた。これにより、入球センサ４１ｂ以降の各センサを取り付ける際にあっても、各センサのハーネスの組が、図８（ａ）の表に示した順と逆順となるような向きから各ソケット部に挿し込んで取り付けていくことが示されたものとなる。
【００５４】
例えば、入球センサ４１ｂにあっては、図８（ａ）の表においてオレンジ色の単体ハーネス４３ｂ´と黄色の単体ハーネス４３ｂ″とが「黄、オレンジ」の並びで図示されているが、ソケット部４７ｂに取り付ける際には、「オレンジ、黄」の並びとなるような向きで矢印Ｘから挿し込んで取り付けることとなる。従って、文字５５´にて示された最初のハーネスの色の並びにより、２番目以降の各センサにおける各ソケット部への取り付け向きが規定されることとなり、該入球センサ４１ｂ以降の取り付け向きが一意に決定される。このように、作業者は、文字５５´が成形されたことによって、入球センサ４１ａ〜４１ｅの取り付けの基点となる位置の把握、及びその取り付け向きの認識が容易になるので、入球センサ４１ａ〜４１ｅを誤り無く正しい位置に取り付けることができるようになる。
【００５５】
次いで、図９を参照して、前述した実施の形態における他の構成を示す第２例を説明する。本例にあっては、前述した入球センサ群４２の中で予め定められる配置順番を、入球センサ４１ａ〜４１ｅにおけるハーネス４３ａ〜４３ｅの色以外の構成で示すものである。なお、図９は、入球センサ群及び入球センサユニットの他の構成である第２例を示す概略斜視図である。また、同図の中で用いる図１ないし図７と同符号のものは、構成及び作用が同様のものとしてその説明を省略する。また、以下の説明で図９中に記載が無い符号についても、図１ないし図７に記載のものを援用し、その説明を省略する。
【００５６】
すなわち、本例にあっても、図９に示すように、前述した実施形態と同様、５個の入球センサ４１ａ〜４１ｅからなる入球センサ群４２を、不図示の入球センサユニット４１に設けられたソケット部４７ａ〜４７ｅに取り付けるものとする。なお、該ソケット部４７ａ〜４７ｅは、例えば図３に示したように、入球センサユニット４１にて隣接し合ったもの同士を上下方向に交互にずらして配置しているが、本例では図９のように便宜上並設した状態で示している。
【００５７】
図９に示すように、入球センサ４１ｂ〜４１ｅのうち、入球センサ４１ｂの胴体部には直方体状の凸部（第１識別手段）１０１ｂが１個、入球センサ４１ｅには同様の凸部（第１識別手段）１０１ｅが４個形成されている。そして、入球センサ４１ｃ，４１ｄは、ともに図示を省略しているが、それぞれ、入球センサ４１ｂの凸部１０１ｂと同様の凸部が横並びに増えていくように、入球センサ４１ｃには凸部が２個、入球センサ４１ｄには凸部が３個形成されているものとする。また、入球センサ４１ａには、該当するような凸部は形成されていない。
【００５８】
ソケット部４７ａ〜４７ｅのうち、ソケット部４７ｂには、その一側端部から他側端部近傍まで続く直線状の１本の切欠き部（第２識別手段）１０２ｂが形成されており、ソケット部４７ｅには４本の切欠き部（第２識別手段）１０２ｅが形成されている。そして、ソケット部４７ｃ，４７ｄは、ともに図示を省略しているが、それぞれ、ソケット部４７ｂの切欠き部１０２ｂと同様の切欠き部が横並びに増えていくように、ソケット部４７ｃには切欠き部が２本、ソケット部４７ｄには切欠き部が３本形成されているものとする。また、ソケット部４７ａには、該当するような切欠き部は形成されていない。
【００５９】
前述した入球センサ４１ａ及び入球センサ４１ｂ〜４１ｅは、それぞれに形成された凸部の数により、入球センサ群４２内での配置順番が予め定められている。入球センサ４１ａは凸部が最も少ない（形成されていない）ことから１番目、入球センサ４１ｂは凸部１０１ｂが一つであることから２番目、続いて凸部の数が二つ、三つと増えるごとに入球センサ４１ｃ，４１ｄが３，４番目となり、最後の５番目が凸部が四つ形成された入球センサ４１ｅとなっている。
【００６０】
ここで、上記した入球センサ４１ａ〜４１ｅをソケット部４７ａ〜４７ｅに取り付ける際、作業者は、凸部が形成されていないことから入球センサ４１ａの配置順番が１番目（最初）であると認識し、次いで該入球センサ４１ａに合致する外形を有したソケット部をソケット部４７ａ〜４７ｅの中から選定する。この結果、作業者は、入球センサ４１ａに凸部が形成されていないことから、切欠き部が形成されていないソケット部４７ａに入球センサ４１ａを嵌合させることを直感的に認識し得るものとなる。
【００６１】
作業者が、上記認識に基づいて入球センサ４１ａを矢印Ｙに示すようにソケット部４７ａに取り付けると、その後は、入球センサ群４２の中で予め定められた配置順番に倣って（つまり、それぞれに形成された凸部の数に従って）、ソケット部４７ｂ〜４７ｅに対し入球センサ４１ｂ〜４１ｅを順に取り付けていくこととなる。例えば、他の入球センサ４１ｂを取り付ける場合には、ソケット部４７ｂに形成された切欠き部１０２ｂに凸部１０１ｂが合致するように位置させ、矢印Ｙに示す向きから嵌合して取り付けるようにする。このように、作業者は、入球センサ４１ｂ〜４１ｅに形成された凸部により、それらを取り付ける順番の基点となる位置の把握が容易になるので、入球センサ４１ａ〜４１ｅを誤り無く正しい位置に取り付けることができるものとなる。
【００６２】
また、上述した第２例のような凸部と切欠き部との数が異なるもの同士では、互いに嵌合することができない組み合わせが生じる場合があるので（例えば、入球センサ４１ｂとソケット部４７ａとの組み合わせなど）、取り付け位置の誤りの発生を格段に抑制することができるものとなる。
【００６３】
以上説明した本実施の形態によると、入球口１１ａ〜１１ｙにそれぞれ取り付け自在に配置された例えば入球センサ４１ａ〜４１ｅそれぞれが、該入球センサ４１ａ〜４１ｅの中で予め定められた順番を示すハーネス４３ａ〜４３ｅを有し、入球センサユニット４１が、ハーネス４３ａ〜４３ｅにて示される順番の最初及び／又は最後と対をなす関係を明示する文字５５の成形部を、列状に配置された入球口１１ａ〜１１ｙのうちの両端に位置する入球口１１ａ，１１ｙの少なくとも一方に有してなる。これにより、入球センサ４１ａ〜４１ｅのうち、取り付け順番の最初及び／又は最後に当たる入球センサ４１ａ，４１ｅを配置する位置（所謂、基点）を容易に把握することができるようになるので、入球センサ４１ａ〜４１ｅ全体を誤り無く正しい位置に取り付けることができる。従って、入球センサの取り付けミスに起因する該入球センサの再配置等の非効率的な作業の発生が抑制されることとなり、作業効率の向上が図られ、人的コストの増加が抑えられることとなる。
【００６４】
また、入球口１１ａ〜１１ｙが、例えば入球センサ４１ａ〜４１ｅを一単位とした入球センサ群４２を取り付け自在に配置し、入球センサユニット４１が、入球センサ群４２が有したハーネス４３ａ〜４３ｅに対応する文字５５の成形部を入球口１１ａ〜１１ｙのうちで所要のものに有してなる。これにより、作業者は、入球口１１ａ〜１１ｙのそれぞれに取り付ける例えば入球センサ４１ａ〜４１ｅを、入球センサ群４２という一単位ごとに各文字５５にて示される色を確認しながら取り付けを行うことができるようになる。従って、入球口１１ａ〜１１ｙ全体ではなく入球センサ群４２という所定範囲ごとの取り付け順序を細かく意識して作業すればよいものとなり、結果として入球センサ４１ａ〜４１ｙ全体の取り付け時に生じ得る誤りを抑制することができるものとなる。
【００６５】
また、ハーネス４３ａ〜４３ｅが、入球センサ４１ａ〜４１ｅの中で予め定められた取り付けの順番をそれぞれ異なる色の並びで示し、文字５５が、入球センサ４１ａ〜４１ｅの中で予め定められた取り付けの順番の最初及び／又は最後に対応する入球センサ４１ａ，４１ｅが有したハーネス４３ａ，４３ｅの色と同じ色を示す文字に成形されることにより、該ハーネス４３ａ，４３ｅと対をなす関係を明示してなる。これにより、作業者は、複数の入球センサの並びを色によって感覚的に認識することができるので、取り付け作業を能率的に行うことができるようになる。
【００６６】
また、入球センサ４１ａ〜４１ｅのそれぞれに接続するハーネス４３ａ〜４３ｅに各種着色されたものを用い、予め定めた順番に色を割り当ててその順となるように各ハーネスを配置するなどして取り付け作業を行うことができるので、特別な部材を調達せず部材コストの増加を抑えて実施することができるものとなる。
【００６７】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００６８】
【図１】本発明の実施形態における雀球遊技機を示す斜視図である。
【図２】図１における遊技盤面部を抜粋して示す斜視図である。
【図３】入球センサユニットを示す分解斜視図である。
【図４】入球センサユニットを図３の矢印Ａ方向から見た側面図である。
【図５】入球センサ群を示す概略図である。
【図６】図１における操作パネルの構成を示す正面図である。
【図７】図１における画像表示部に表示する画面例を説明するための図である。
【図８】他の構成である第１例を示すもので、（ａ）は入球センサと各ハーネスの色とを対応させた表、（ｂ）は入球センサユニットの端部を拡大してその下方側から示した概略図である。
【図９】入球センサ群及び入球センサユニットの他の構成である第２例を示す概略斜視図である。
【符号の説明】
【００６９】
１    遊技機（雀球遊技機）
２ａ    遊技領域（遊技盤面部）
１１ａ〜１１ｙ    複数の入球口（入球口）
４１    入球ユニット（入球センサユニット）
４１ａ〜４１ｙ    複数の検知部材（入球センサ）
４２    検知部材群（入球センサ群）
４３ａ〜４３ｅ    第１識別手段（ハーネス）、ハーネス
４３ａ´，４３ａ″〜４３ｅ´，４３ｅ″    第１識別手段（単体ハーネス）
５５    第２識別手段（文字）
５５´    第２識別手段（文字）
１０１ｂ〜１０１ｅ    第１識別手段（凸部）
１０２ｂ〜１０２ｅ    第２識別手段（切欠き部）
【図１】
2009066274.tif 000003
【図２】
2009066274.tif 000004
【図３】
2009066274.tif 000005
【図４】
2009066274.tif 000006
【図５】
2009066274.tif 000007
【図６】
2009066274.tif 000008
【図７】
2009066274.tif 000009
【図８】
2009066274.tif 000010
【図９】
2009066274.tif 000011